(57)【特許請求の範囲】
【請求項１】
ドア枠の凹所に嵌め込まれる受け箱と、この受け箱の前端縁に固定されると共に係入ボルトが入り込む開口を有するフロントとを備える係入ボルト用ストライクに於いて、前記受け箱の収納空間内に前記係入ボルトの係合面に当接可能な受け部を有するガタ付防止用の隙間位置板を配設し、前記受け部に連設する隙間位置板の基端部は受け箱内に軸支され、該隙間位置板を使用しない場合には前記受け部は受け箱の一側内面側に位置し、一方、隙間位置板を使用する際には、前記受け部は基端部の軸部を支点に回転して前記係入ボルトの係合面と対向する受け箱の他側面側へと位置変位することを特徴とする係入ボルト用ストライク。
【請求項２】
請求項１に於いて、隙間位置板は、人の操作力により回転して位置変位することを特徴とする係入ボルト用ストライク。
【請求項３】
請求項１に於いて、受け箱の収納空間内には、位置変位した隙間位置板が受け箱の他側面側から離れないように支持するストッパーを有するストッパー板が設けられていることを特徴とする係入ボルト用ストライク。
【請求項４】
請求項３に於いて、ストッパー板は、弾性変位・弾性変位復帰力を有する材質で形成されていることを特徴とする係入ボルト用ストライク。
【請求項５】
請求項１に於いて、隙間位置板は、不使用時には固着具で所定位置に固定され、使用時には、前記固着具を取り外すと、バネ部材のバネ力により、自動的に回転して位置変位することを特徴とする係入ボルト用ストライク。
【請求項６】
ドア枠の凹所に嵌め込まれる受け箱と、この受け箱の前端縁に固定されると共に係入ボルトが入り込む開口を有するフロントとを備える係入ボルト用ストライクに於いて、前記受け箱の収納空間内に前記係入ボルトの係合面に当接可能な受け部を有するガタ付防止用の隙間位置板を複数枚配設し、前記受け部に連設する各隙間位置板の基端部は、受け箱内に対称的に軸支され、各隙間位置板を使用しない場合には受け箱の一側内面側に位置し、一方、所望の隙間位置板を使用する際には、前記受け部は基端部の軸部を支点に回転して前記係入ボルトの係合面と対向する受け箱の他側面へと位置変位することを特徴とする係入ボルト用ストライク。
【請求項７】
請求項６に於いて、各隙間位置板を使用しない場合には、各受け部は互いに重ならないように受け箱の一側内面側に位置することを特徴とする係入ボルト用ストライク。
【請求項８】
請求項６に於いて、各隙間位置板の基端部は、収納空間の奥に位置する左右一対の垂直軸にそれぞれ軸支され、隙間位置板の使用時、該隙間位置板の受け部は、前記垂直軸を支点にして受け箱の後壁の内面側から受け箱の垂直側壁の内面側へと位置変位することを特徴とする係入ボルト用ストライク。
【請求項９】
請求項６に於いて、隙間位置板の不使用時、隙間位置板の受け部は、受け箱の後壁側に螺着する固定手段を介して固定されていることを特徴とする係入ボルト用ストライク。
【請求項１０】
請求項９に於いて、隙間位置板の受け部は、受け箱の後壁の内壁面に基準ベース板を介して固定されていることを特徴とする係入ボルト用ストライク。
【発明の詳細な説明】
【技術分野】
【０００１】
本発明は、当業者にラッチ、ラッチボルト、デッドボルト等と称される係入ボルト用ストライクに関する。本発明は、ラッチボルト並びにデッドボルトの両方に適用可能な係入ボルト用ストライクに関する。
【背景技術】
【０００２】
特許文献１に記載された実施例では、フロントとボックスとの間に受け部材を移動可能に設け、受け部材の位置をネジで調整するように構成している。
【０００３】
具体的には、前面が開口したボックスの内部に、該ボックスよりも小型の受け部材と、Ｖ字形の駆動板を挿入し、前記駆動板の一側の作用片を、ボックスと受け部材との左側隙間に挿入すると共に、右側隙間にバネ部材を挿入し、かつ、駆動板の他側の押板に透孔を設け、該透孔に挿入した調整ネジの先端を、ボックスに設けたネジ孔に螺合したものである。
【０００４】
この特許文献１に記載の実施例では、調整ネジの頭部に当てたドライバを操作すると、駆動板がＶ字の屈曲点を支点として時計方向に回動し、受け部材が右方向に移動してフロントの開口幅を狭めることができる。
【０００５】
しかし、この特許文献１は、ボックス（受け箱）の収納空間が、Ｖ字駆動板、調整ネジ、バネ部材等で著しく制約されるので、デッドボルトには適用し難いという問題点がある。
【０００６】
また、特許文献２には、ドア枠の凹所に固定的に埋設した受け箱（ストライクボックス）内に、プッシュプレートとスライドプレートをそれぞれ配設し、操作ネジを操作すると、スライドプレートが係合手段（斜め長孔と、これに遊嵌するスライドピン）を介してフロント方向に進退動するラッチ用ストライクが記載されている。
【０００７】
しかし、この特許文献２は、スライドプレートが所定方向に移動する構成であることから、特許文献１と同様にデッドボルトには適用し難い問題点がある。特に、ドアの経年変化による反り、或いは歪みに対応することができないという問題点がある。
【０００８】
さらに、特許文献３には、受け箱の収納空間内の後壁（底壁）の内面に多角形の調整板と共に、該調整板を常時付勢する板バネを組み込むことを特徴とするドアラッチ受け金具が記載されている。
【０００９】
このドアラッチ受け金具の基板（フロント）の開口は、普通一般に使用されているドアラッチ受け金具と同様で開口幅が小さいものであることから、特許文献１及び特許文献２と同様にデッドボルトには適用し難い等の問題点がある。
【特許文献１】特開平４−２１６７８４号公報
【特許文献２】実用新案公開平６−８７５７９号公報
【特許文献３】特開平７−１５８３２５号公報
【発明の開示】
【発明が解決しようとする課題】
【００１０】
本発明の初期の目的は、ガタ付きが大きい場合には、係入ボルトの係合面と受け箱の内壁面側との間隙にガタ付防止用の隙間位置板（間隙に位置する板）を簡単に位置付けることができ、一方、取り付け位置の誤差、ドアの反りや歪み等の理由により、係入ボルトの係合面と受け箱の内壁面側との間に所要の間隙を設ける必要が生じた場合には、ガタ付防止用の隙間位置板を邪魔にならないように受け箱の一側内面側（例えば後壁側）に簡単に位置付けることができることである。本発明の第２の目的は、複数の係合面を有するデッドボルトにも適用することができることである。
【課題を解決するための手段】
【００１１】
本発明の係入ボルト用ストライクは、ドア枠の凹所に嵌め込まれる受け箱と、この受け箱の前端縁に固定されると共に係入ボルトが入り込む開口を有するフロントとを備える係入ボルト用ストライクに於いて、前記受け箱の収納空間内に前記係入ボルトの係合面に当接可能な受け部を有するガタ付防止用の隙間位置板を配設し、前記受け部に連設する隙間位置板の基端部は受け箱内に軸支され、該隙間位置板を使用しない場合には前記受け部は受け箱の一側内面側に位置し、一方、隙間位置板を使用する際には、前記受け部は基端部の軸部を支点に回転して前記係入ボルトの係合面と対向する受け箱の他側面側へと位置変位することを特徴とする。
【００１２】
また、本発明の係入ボルト用ストライクは、ドア枠の凹所に嵌め込まれる受け箱と、この受け箱の前端縁に固定されると共に係入ボルトが入り込む開口を有するフロントとを備える係入ボルト用ストライクに於いて、前記受け箱の収納空間内に前記係入ボルトの係合面に当接可能な受け部を有するガタ付防止用の隙間位置板を複数枚配設し、前記受け部に連設する各隙間位置板の基端部は、受け箱内に対称的に軸支され、各隙間位置板を使用しない場合には受け箱の一側内面側に位置し、一方、所望の隙間位置板を使用する際には、前記受け部は基端部の軸部を支点に回転して前記係入ボルトの係合面と対向する受け箱の他側面へと位置変位することを特徴とする係入ボルト用ストライク。
【発明の効果】
【００１３】
（１）可動式のガタ付防止用の隙間位置板を、受け箱の収納空間内に配設したので、ラッチ、ラッチボルト、デッドボルト等と称される係入ボルトの係合面と受け箱の内壁面側との間に発生するガタ付きを可能な限り防止することができる。また、複数の係合面を有するデッドボルトにも適用することができる。
（２）建具に対する施工後（取り付け後）に於いても、外部操作により、ガタ付防止用の隙間位置板を、使用態勢位置（係入ボルトの係合面と対向する受け箱の他側面側）へと簡単に位置変位させることができる。
（３）ガタ付防止用の隙間位置板を使用しない場合には、受け箱の収納空間を制約しないように、受け箱の一側内面側（例えば後壁内面、基準ベース側）に重ねるように収めることができる。
（４）受け箱の収納空間内に、位置変位した隙間位置板が受け箱の他側面側から離れないように支持するストッパーを有するストッパー板が設けられている場合には、使用中、隙間位置板が収納空間の中心部へと容易に傾倒しない。
（５）隙間位置板が複数枚配設されている発明は、ドアがいずれの方向（ドアが開く方向及びドアが閉じる方向）に反っても対応することができる。
（６）第２実施例では、ガタ付防止用の隙間位置板は、不使用時には固着具で所定位置に固定され、使用時には、前記固着具を取り外すと、バネ部材のバネ力により、自動的に回転して位置変位して使用態勢に入る。それ故に、調整が容易である。
【発明を実施するための最良の形態】
【００１４】
以下、図１乃至図９に示す本発明を実施するための最良の形態（第１実施例）により説明する。
【００１５】
（１）発明の実施の環境
図１は発明の実施の環境を示す概略説明図である。図１に於いて、まず、１はドア枠、２はドア枠を構成する戸当たり、３はドア枠に設けた凹所、４はドア、４ａはドアの自由端部、５は自由端部４ａの端面から出没するラッチ、ラッチボルト、デッドボルト等と称される係入ボルトである。
【００１６】
次に、Ｘは、前記凹所３に取り付けられた係入ボルト用ストライク（以下、「ストライク」という。）である。周知のように、ストライクＸは、ドア枠１の凹所３に嵌め込まれる受け箱６と、この受け箱の前端縁に固定されると共に、係入ボルト５が入り込む開口を有するフロント７とを備える。また、ドア４は矢印方向へ開閉する。
【００１７】
以下、本発明の特定要件について順次説明するが、限定要件に関係のない軸孔、突起、切欠、取り付け孔、メネジ部等の細部的な事項の符号は割愛する。
【００１８】
（２）受け箱６
図４は主要部の斜視図である。また、図５は主要部の分解斜視図である。これらの図面の一部は切り欠き或いは部材を省略している。特に、図５では、省略した所が同一の部材乃至同様の部分なので、便宜上、切り欠きや部材の省略をして判り易く示している。そこで、特に、図５を参照にして説明する。
【００１９】
受け箱６は、図５で示すように金属製の板材を直交方向へ折り曲げて長箱状に形成されている。もちろん、長箱状に形成することは限定要件ではない。したがって、図２では受け箱６の右側の半分を仮想線で示す。
【００２０】
図４及び図５に於いて、図面上下方に位置する壁を後壁（底壁或いは背板）８とする。この後壁８の中央部には、長手方向に合計２個のメネジ部９が所定間隔を有して直接又は間接的に設けられている。本実施例では、前記メネジ部９は後述の基準ベース板に形成されている。
【００２１】
そこで、後壁８を基準にして、手前に見える壁が一方側の短辺端壁１０である。この短辺端壁１０の後壁８寄りの左右の部位には、図３で示すように合計２個の小さな軸孔が形成されている。この短辺端壁１０によりもさらに手前側に見える上側の壁が固定用突片１１で、この固定用突片１１の中央部には取り付け孔が形成されている。
【００２２】
また、この固定用突片１１、短辺端壁１０及び後壁８に直交する壁が左右の長辺端壁１２で、これらの長辺端壁１２の内壁面には、小円形状の支持突起１３がそれぞれ１個設けられている。両長辺端壁１２、１２の各支持突起１３は、非対向位置（長手方向に多少ずらした部位）にそれぞれ配設され、その突出量は、後述する支持枠の厚さが考慮されている。
【００２３】
さらに、右側の断面Ｌ形状に折り曲げ形成された片１４は、短辺端壁１０及び固定用突片１１の両方の機能を有する支持片である。この支持片１４は係合手段（係合突片と係合切欠）１５を介して後壁８の内面に配設される。
【００２４】
しかして、１４ａは短辺端壁１０に対して所要間隔を有して対向する軸受け部分で、この軸受け部分１４ａには短辺端壁１０側の軸孔と対向する軸孔が形成されている。
【００２５】
また、１４ｂは固定用突片部分で、この固定用突片部分１４ｂにはオネジ部が形成されている。なお、その余の取り付け孔、切欠部分、カシメ加工等の細部的な部分は図面上割愛している。また、符号１６は受け箱６の収納空間である。この収納空間１６は、本実施例では、後壁８乃至支持片１４で区画されている。
【００２６】
（３）フロント７
フロント７は金属製の長尺板材である。この長尺状フロント７の半分側に係入ボルト５が入り込む矩形状の大きな開口２０が形成されている。開口２０は、普通一般に実施されているフロント７よりも大きく形成されている。
【００２７】
本発明では開口幅Ｗの臨界的数値を限定することは要件ではないが、図１で示すように係入ボルト５が、例えばデッドボルトである場合に於いて、ドア４の開く方向側の係合面５ａとドア４の閉じる方向側の係合面５ｂに対して、それぞれ所要の間隙Ｓ、Ｓ１が生じるような開口幅Ｗである。
【００２８】
また、両端部に受け箱６の固定用突片１１の取り付け孔と符合する取り付け孔２１がそれぞれ形成されている。さらに、本実施例では、中央部に支持片１４を固定するための貫通孔２２が形成されている。付言すると、図４で示すように、前記支持片１４は支持片用固着具２３を介してフロント７の内面中央部に固定される。
【００２９】
（４）受け箱内に配設される部材―基準ベース板２５
受け箱６の収納空間１６内には、例えば端面凸形状の基準ベース板２５が固定的に配設される。段差状の基準ベース板２５は、後壁８の内壁面に長手方向に適宜に固定され、前述したように中央部に２個のメネジ部９、９が形成されている。
【００３０】
しかして、図４に於いて、基準ベース板２５の高い固定面（図１では垂直面）２５ａは、本実施例では受け箱６の一側内面側に相当し、隙間位置板２６を使用しない場合には、単数又は複数枚の隙間位置板２６の受け面２６ａと面接触可能である。また、この高い固定面２５ａの左右の低い面（図１では垂直面よりも後壁８よりの垂直面）２５ｂ、２５ｂには、左右の隙間位置板２６の各棒状基端部２７がそれぞれ位置付けられる。
【００３１】
（５）隙間位置板２６
受け箱の収納空間内には、係入ボルト５の係合面に当接可能な受け部を有するガタ付防止用の隙間位置板が複数枚配設されている。図１の一部切欠状態のデッドボルト５に於いて、５ａはドア４の開く方向側の係合面、５ｂはドア４の閉じる方向側の係合面、５ｃはデッドボルト５の上面である。
【００３２】
図１、図２（棒状支軸２８は仮想線）、図３で示すように、複数枚の隙間位置板２６は、左右一対の細長い棒状支軸２８を介して両長辺端壁１２の各内壁面に沿ってそれぞれ垂設軸架されている。付言すると、棒状支軸２８は、一方の短辺端壁１０の軸孔、長筒状の基端部２７、後述するストッパーの軸孔或いは切欠、支持片１４の軸孔にそれぞれ差し込まれている。
【００３３】
したがって、基端部２７に連設する単数又は複数個の突板状の受け部２９は、支軸２８を支点に所定量回転可能である。
【００３４】
しかして、前記突板状受け部２９は、本実施例では、コ字形状（位置によっては逆コ字形状）の切欠部分３０を介して合計２個基端部２７に延設されている。実施例の受け部２９の長さは、例えば受け面２６ａが基準ベース板２５の高い固定面２５ａに面接触可能な範囲内に設定されている。
【００３５】
そして、少なくとも１つの受け部２９の中央部には、段差状の貫通小孔３１がそれぞれ形成されていることから、隙間位置板２６の不使用時、受け部２９は、受け箱６の後壁８側に螺着する固定手段３２を介して固定されている。本実施例では、基準ベース板２５の高い固定面２５ａに隙間位置板２６が固定される。
【００３６】
ところで、係入ボルト５がラッチボルトである場合には、隙間位置板２６は「１枚」でも良いが、本実施例では、複数の係合面５ａ、５ｂを有するデッドボルトの形態を考慮して、両長辺端壁１２の各内壁面側にそれぞれ対向し得るように受け箱内に対称的に軸支されている。
【００３７】
付言すると、各隙間位置板２６の基端部２７は、各隙間位置板２６を使用しない場合には受け箱６の一側内面側２５ａに位置し、一方、所望の隙間位置板を使用する際には、その受け部２９は基端部２７の軸部２８を支点に回転して、係入ボルト５の係合面５ａ（及び５ｂ）と対向する受け箱６の他側面（本実施例では、図８、図９で示すように、長辺端壁１２の内壁面）へと位置変位する。
【００３８】
換言すると、各隙間位置板の基端部２７は、収納空間１６の奥に位置する左右一対の垂直軸２８にそれぞれ軸支され、隙間位置板２６の使用時、該隙間位置板の受け部２９は、前記垂直軸２８を支点にして受け箱６の後壁８の内面側から受け箱６の垂直側壁６の内面側へと位置変位する。
【００３９】
さらに、受け箱６の収納空間１６が制約されないように、図２で示すように、各隙間位置板２６、２６を使用しない場合には、各受け部は互いに重ならないように受け箱の一側内面側２５ａに位置する。
【００４０】
そして、隙間位置板２６の不使用時、隙間位置板２６は、受け箱６の後壁８に間接的に螺着する固定手段３２を介して固定される。したがって、第１実施例では、隙間位置板２６を使用する場合には、固定手段３２を基準ベース板２５から外した後に人の操作力により隙間位置板２６を回転して位置変位する必要がある。
【００４１】
（６）ストッパー板３５と支持枠４０
さらに、本実施例では、受け箱６の収納空間１６内に、位置変位した隙間位置板２６が受け箱６の他側面（長辺端壁１２の内面）側から離れないように支持するストッパー板３５と、開口端面が矩形状の支持枠４０がそれぞれ組み込まれている。
【００４２】
前記ストッパー板３５は、弾性変位・弾性変位復帰力を有する材質で薄い板状に形成され、一方の短辺端壁１０の内壁面及び支持片１４の内壁面にそれぞれ添設状態に配設されている。
【００４３】
しかして、実施例のストッパー板３５は、図５で示すように、所要部位にコ字形状（位置によっては逆コ字形状）にスリット３６を設けることにより、収納空間１６の内部側に常時はみ出すと共に、弾性変位・弾性変位復帰力を有する板状ストッパー３７を形成している。
【００４４】
また、前記矩形状の支持枠４０は、フロント７の開口２０にぴったりと嵌り合う大きさに形成されており、ストッパー板３５を抑える、或いはストッパー板３５位置を規制する役割を有すると共に、隙間位置板２６の受け部２９を受け入れる単数又は複数の切欠部分４１も有している。
【００４５】
なお、支持枠４０の形態は任意に設計可能であるが、実施例では両長辺端壁１２の内壁面に支持突起１３を設けているので、該支持突起１３が露呈する箇所に切欠部分４１を形成するのが望ましい。
【実施例】
【００４６】
発明の実施の形態で示した第１実施例に於いて、構成要件（バネ部材）を加味しても良い。すなわち、図１０及び図１１は、「隙間位置板を自動的に可動させるという目的」に基づき、左右の支軸２８、２８にそれぞれバネ部材４５、４５の各中央部を巻装したものである（これを「第２実施例」とする）。
【００４７】
この第２実施例では、各バネ部材４５、４５の一端部４５ａが後壁（底壁或いは背板）８の内壁面にそれぞれ圧接し、一方、他端部４５ｂは左右の隙間位置板２６、２６の受け面２６ａにそれぞれ圧接している。
【００４８】
しかして、第２実施例では、常時、使用時方向（長辺端壁１２の内壁面側）に付勢されていることから、各隙間位置板２６は、不使用時には固着具３２で所定位置（基準ベース板側）に固定されているものの、使用時に、前記固着具３２を取り外すと、バネ部材４５のバネ力により、自動的に長辺端壁１２の内壁面側へと回転して位置変位する。
【産業上の利用可能性】
【００４９】
本発明は、主に建具や錠前の業界で利用される。
【図面の簡単な説明】
【００５０】
図１乃至図９は本発明の最良の実施例を示す各説明図。図１０及び図１１は本発明の第２実施例を示す各説明図。
【図１】ドアを含む全体の環境を示す概略説明図。
【図２】主要部の開口側から見た正面図。
【図３】主要部の短辺端壁側から見た説明図。
【図４】主要部の斜視図（一部切欠して省略）。
【図５】主要部の分解斜視図（一部切欠して省略。共通する部材も省略）
【図６】主要部の概略断面説明図（特に隙間位置板２６の他の部位を横断面で示した）。
【図７】隙間位置板の使用時におけるストッパーの弾性変位の説明図。
【図８】一方の隙間位置板の使用時、ストッパーに支持される旨の説明図。
【図９】両方の隙間位置板の使用時の時における説明図。
【図１０】第２実施例の図１と同様の概略説明図。
【図１１】両方の隙間位置板の使用時の時における説明図。
【符号の説明】
【００５１】
１…ドア枠、２…戸当たり、３…凹所、４…ドア、４ａ…自由端部、５…係入ボルト（ラッチ、デッドボルト）、５ａ…ドア４の開く方向側の係合面、５ｂ…ドア４の閉じる方向側の係合面、Ｘ…ストライク、６…受け箱、７…フロント、８…後壁（底壁或いは背板）、９…メネジ部、１０…短辺端壁、１１…固定用突片、１２…長辺端壁、１３…支持突起、１４…支持片、１５…係合手段（係合突片と係合切欠）、１４ａ…軸受け部分、１４ｂ…固定用突片部分、１６…収納空間、Ｓ、Ｓ１…左右の間隙、２０…開口、Ｗ…開口幅、２１…取り付け孔、２２…貫通孔、２３…支持片用固着、２５…基準ベース板、２５ａ…高い固定面、２５ｂ…低い面（図１では後壁８よりの垂直面）、２６…隙間位置板、２７…基端部、２８…支軸、２９…受け部、３０…切欠部分、３１…貫通小孔、３２…固定手段、３５…ストッパー板、４０…支持枠、３６…スリット、３７…ストッパー、４１…切欠部分、４５…バネ部材。
【図１】
0004847211.tif 000002
【図２】
0004847211.tif 000003
【図３】
0004847211.tif 000004
【図４】
0004847211.tif 000005
【図５】
0004847211.tif 000006
【図６】
0004847211.tif 000007
【図７】
0004847211.tif 000008
【図８】
0004847211.tif 000009
【図９】
0004847211.tif 000010
【図１０】
0004847211.tif 000011
【図１１】
0004847211.tif 000012